(57)【要約】      （修正有）【課題】量産化し易く、安全性を維持できる管連結具を提供する。【解決手段】両側縁１ａの内面に円弧部１ｂが形成される横断面逆コ字状で側面視Ｌ形状の金具本体１と、該金具本体１の上端で回動自在に軸支される開閉体２と、金具本体１の下端で回動自在に軸支される押え金具３とから成る金具ａが一対、その背面相互が回動自在に接合されて成る。開閉体２と押え金具３の上方に延設される取着体３ｂとが、開閉体２の回動部２ｆに設けたカム板２ｈの作動域輪郭に形成されたアルキメデススパイラルとくさび角２ｎに対する係止部３ｅの係合を介して管４の挟持に供される。カム板２ｈの下面に垂下される凸部２ｉと取着面に配設される凹部及び／又はスリットによる緩み止め手段で挟持状態が保持される。【選択図】図４
0003158145.tif 000002
【実用新案登録請求の範囲】
【請求項１】
所要幅の両側縁の内面に円弧部が形成される横断面逆コ字状で側面視Ｌ形状の金具本体と、該金具本体の上端で水平支持軸に回動自在に開閉板が軸支され、該開閉板の裏面に平面視コ字状の幕壁が垂下されるとともに、その幅方向中央部で前記水平支持軸と直交する方向の回動軸が貫挿され、該回動軸の上部に回動部が設けられ、その下部に開閉板の内面で弾性体を介してカム板が固着されて成る開閉体と、前記金具本体の下端で両側縁に渡って軸支される水平支持軸に軸支され、前記円弧部と共働して管の周面を挟持する円弧部の上方に取着体が延設され、該取着体の周縁に平面視逆コ字状の周壁が立設され、該周壁の幅方向中央に縦断面鋭角Ｌ形状の係止部が形成される押え金具とから成る金具が一対、その背面相互が回動自在に接合されて成る管連結金具において、
前記カム板が、その作動域輪郭をアルキメデススパイラルとして成るとともに、その縦断面に前記係止部に食い込むくさび角を有して成る管連結金具。
【請求項２】
前記開閉体のカム板と前記押え金具の取着体間に緩み止め手段が配設されて成る請求項１記載の管連結金具。
【考案の詳細な説明】
【技術分野】
【０００１】
本考案は、鋼管を組み合わせて作る建築作業用の足場枠等における管相互連結用の金具に関する。
【背景技術】
【０００２】
本願出願人は、実用新案登録第3006126号（特許文献１）において、管連結金具を提案したが、該特許文献１における技術は、カム板の作動域輪郭の形成に手間取ることと、カム板の回り止めが、カム板の取り付けられる回動軸を取着する開閉板系においてなされるため、カム板の回り止めが押え金具の管挟持の確保に直結しないこと、などの問題点を内在していた。
【先行技術文献】
【特許文献】
【０００３】
【特許文献１】実用新案登録第3006126号公報
【考案の概要】
【考案が解決しようとする課題】
【０００４】
本考案は上記に鑑みて、量産向きで押圧締結方向がカムの回転中心を通り、押え金具の円弧部に直交する方向であるカム板を有することと、これに加えて、該カム板と押え金具の取着体とが共働して管挟持状態を確保できる緩み止め手段を有する管連結金具を提供するものである。
【課題を解決するための手段】
【０００５】
本考案の請求項１に記載した管連結金具は、所要幅の両側縁の内面に円弧部が形成される横断面逆コ字状で側面視Ｌ形状の金具本体と、該金具本体の上端で水平支持軸に回動自在に開閉板が軸支され、該開閉板の裏面に平面視コ字状の幕壁が垂下されるとともに、その幅方向中央部で前記水平支軸と直交する方向の回動軸が貫挿され、該回動軸の上部に回動部が設けられ、その下部に開閉板の内面で弾性体を介してカム板が固着されて成る開閉体と、前記金具本体の下端で両側縁に渡って軸支される水平支持軸に軸支され、前記円弧部と共働して管の周面を挟持する円弧部の上方に取着体が延設され、該取着体の取着面の周縁に平面視逆コ字状の周壁が立設され、該周壁の幅方向中央に縦断面鋭角Ｌ形状の係止部が形成される押え金具とから成る金具が一対、その背面相互が回動自在に接合されて成る管連結金具において、
前記カム板が、その作動域輪郭をアルキメデススパイラルとして成るとともに、その縦断面に前記係止部に食い込むくさび角を有して成る。
請求項２に記載した考案は、請求項１に記載した管連結金具において、
前記開閉体のカム板の下面と前記押え金具の取着体の取着面間に緩み止め手段が配設されて成る。
【考案の効果】
【０００６】
カム板の作動域輪郭をアルキメデススパイラルとすると、その加工が２番取り旋盤でなされるから、その成形が簡易で量産化し易いものであり、また、その作動域輪郭に追従する取着体は回動部の回動に対して等速直線運動が与えられるから、均等な締め付け力が発現されるものであり、その上、カム板の周面と取着体の周壁間に設けられる緩み止め手段としての、カム板の縦断面方向で形成されるくさび角は、取着体の鋭角Ｌ形状の係止部と共働して管挟持状態が確保され、さらには、請求項２に記載の考案では、カム板の下面と取着体の取着面との間に配設される緩み止め手段で、金具本体と押え金具とが確実な管挟持状態で保持されるから、足場枠などの安全性が維持される効果がある。
【図面の簡単な説明】
【０００７】
【図１】本考案の管連結金具Ａの使用状態における一部破断説明図。
【図２】カム板２hと仮想線で示した取着体３bの係止部３eとの係止状態を示した開閉体２の底面図。
【図３】取着体３bを上面側とした押え金具３の平面図。
【図４】図１の右方の金具ａの拡大説明図。
【考案を実施するための形態】
【０００８】
本考案における取着体の周壁に形成される縦断面鋭角Ｌ形状の係止部は、鋭角形成始端から終端に向けて徐々にその角度が鋭角に形成されるものであり、一方カム板の周面に縦断面方向で形成されるくさび角は、前記の鋭角との関係で該鋭角より僅かに大なる角度が選択され、両者の係合で回り止めされる。
また、カム板の下面と取着面との間に配設される緩み止め手段は、カム板の下面に垂下される凸部であって、取着面に圧着される圧着端を有するものから、該凸部と該凸部に嵌着する取着面上の凹部とから成るもの、又は凸部と前記凹部及び該凹部の周面に横向きＵ状に貫設されるスリットとから成るものなどである。
【実施例】
【０００９】
本考案の管連結金具Ａを実施例により説明すると、図１に示すように、所要幅の両側縁１aの内面に円弧部１bが形成される横断面逆コ字状（裏から見ればコ字状）で側面視Ｌ形状の金具本体１と、該金具本体１の上端で水平支持軸１cに回動自在に軸支される開閉体２と、金具本体１の下端で両側縁１aに渡って軸支される水平支持軸１dに軸支される押え金具３とから成る金具ａが一対、その背面相互が接合軸（図外）で回動自在に接合されて成るものであり、開閉体２は前記上端の水平支持軸１cに回動自在に軸支される開閉板２aと、該開閉板２aの裏面に垂下される幕壁２bと、その幅方向中央部で前記水平支持軸１cの軸心と直交する方向で開閉板２aに貫挿される回動軸２cと、該回動軸２cの上部に一体とされる座盤２dと六角ナット２eとから成る回動部２fと、その下部に開閉板２aの内面で弾性体２gを介して接合されるカム板２hと、該カム板２hの下面に植設されるピンからなる凸部２iとから成り、カム板２hは図２に示すように、その作動域輪郭が２番取り旋盤によって加工されたアルキメデススパイラルから成り、しかも、その縦断面は後述する係止部３eの鋭角より僅かに大なるくさび角２nを以て形成される。
押え金具３は前記金具本体１の円弧部１bと共働して管４の周面を挟持する円弧部３aと、該円弧部３aに延設される取着体３bとから成り、取着体３bは図２の仮想線に示すように、取着面３cの周縁に立設される平面視逆コ字状の周壁３dと、該周壁３dの幅方向中央に形成される縦断面鋭角Ｌ形状の係止部３eと、前記カム板２hの凸部２iが嵌着されるように取着面３cに凹設される凹部３fとから成り、前記凸部２iの背丈は、前記取着面３cに圧着される圧着端を有する長さから成る。
なお、前記縦断面鋭角Ｌ形状の係止部３eは、周壁３dの幅方向中央を曲率中心として形成されるもののほか、図２に示される状態で幅方向中央より所要に右方寄り(カム板２hの回動方向に沿う方向寄り)に曲率中心を設けて、図示の曲率半径より大なる曲率半径のもので形成されることもある。
こうすると、カム板２hの作動域輪郭に形成されるアルキメデススパイラルと係止部３eとの縦断面におけるくさび作用のほかに、平面上の回動方向におけるくさび作用も大となるので、管挟持の際の各水平支持軸１c、１d回りの遊びや開閉板２aと回動軸２c間の遊びも吸収されて、より大なる挟持力で管４を連結できるものとなる。この場合に、カム板２hのアルキメデススパイラルのカムライズ（図示の一例としては90°の回動で2.5mm）を各様に変更して最適なものが選択される。
このほか、カム板２hと取着面３cとの間に設けられる緩み止め手段としては、カム板２hの下面に垂下される凸部２iと、図３に示すように、凸部２iの取着面３cへの圧着に際しての弾発力を発現させるための横向きＵ状のスリット３gとから成るものや、図３の仮想線で示すように、スリット３gに加えて凹部３fを共に設けるものなどで提供される。
【００１０】
このようにして成る管連結金具Ａは図１に示すように、一方（左方）の金具ａで垂直方向の管４を挟持し、他方（右方）の金具ａで水平方向の管４を挟持して足場枠などの組み立てに使用されるが、その際の作業要領を説明すると、金具本体１の下端の水平支持軸１dを中心に押え金具３を開いた状態で金具本体１の円弧部１bに管４が係着され、次いで押え金具３を閉じてその上端の取着体３bの周壁３dを包蔵するように、金具本体１の上端の水平支持軸１cを中心に開閉体２を被せ、スパナ（又はレンチ）で回動部２fの六角ナット２eを回動すれば、六角ナット２eと締め上げ位置２k、解放端ｌを示す座盤２dを一体とする回動軸２cが回動し、回動軸２cの下方で一体のカム板２hも回動するが、このとき、アルキメデススパイラル２jとして成形された作動域輪郭がカム板２hの回転中心を通り、従節としての取着体３bの周壁３dに形成された係止部３eに接触するから、所要のカムライズで徐々にカム板２hの回動で押え金具３の両円弧部３aが均等に締め上げられ、最終の締め上げ位置２kでカム板２hの縦断面に形成されたくさび角２nが係止部３eに食い込み、回り止め状態となる上、カム板２hの下面に垂下された凸部２iが取着体３bの取着面３cに凹設された凹部３fに嵌着し、緩み止め状態となって管４が確実に挟持される。
上記した開閉体２と取着体３bとの間に施される緩み止め手段は、上記のほか、凸部２iの長さが取着面３cを押圧する丈に選択された上で、取着面３cに図３に示すような横向きＵ状のスリット３gが形成され、スリット３gによって囲まれた部分の凸部２iによる押圧弾性変形に起因する弾発力によって凸部２iの下端に誘発される摩擦抵抗でカム板２hの緩み止めを図るものや、スリット３gと共に凸部２iが嵌着される凹部３f（仮想線表示）を設けたものなどで提供される。
このようにスパナ（又はレンチ）のワンタッチ操作でカム板２hが同一系の取着体３bの係止部３eと取着面３c間に挟持されるから、簡単に管４を挟持できるとともに、緩み止め状態が保持されることとなり、作業能率の向上と安全性の確保の点で、本考案は従来技術にない進歩性を有するものである。
なお、開閉体２における回動部２fの締め上げ状態は、座盤２dに刻設された締め上げ位置２k、解放端２lと開閉板２aの表面に刻設された合マーク２mとの合致によって確認されるものである。
【産業上の利用可能性】
【００１１】
本考案の管連結金具は、管挟持作業が極めて簡易である上、安全性が確保されるため、建築業界や建設業界での需要は元より、金具製造業界の活性化にも資するものである。
【符号の説明】
【００１２】
１：金具本体
１a：側縁
１b：円弧部
１c：水平支持軸
１d：水平支持軸
２：開閉体
２a：開閉板
２b：幕壁
２c：回動軸
２d：座盤
２e：六角ナット
２f：回動部
２g：弾性体
２h：カム板
２i：凸部
２j：アルキメデススパイラル
２k：締め上げ位置
２l：解放端
２m：合マーク
３：押え金具
３a：円弧部
３b：取着体
３c：取着面
３d：周壁
３e：係止部
３f：凹部
３g：スリット
４：管
ａ：金具
Ａ：管連結金具
【図１】
0003158145.tif 000003
【図２】
0003158145.tif 000004
【図３】
0003158145.tif 000005
【図４】
0003158145.tif 000006